【手続補正書】
【提出日】令和3年8月6日(2021.8.6)
【手続補正１】
【補正対象書類名】特許請求の範囲
【補正対象項目名】全文
【補正方法】変更
【補正の内容】
【特許請求の範囲】
【請求項１】
着用者の胴部、胸部及び肩部を覆い、下端が前記着用者に密着可能に構成されたウェア本体と、
前記ウェア本体における前記胴部に対向する位置に開口部が形成され、該開口部に着脱可能、且つ外気を前記ウェア本体と前記胴部との間に送風可能な送風ファンと、を備え、
前記ウェア本体における前記着用者の脇下に対向した位置に脇下外気排出部が形成され、
該脇下外気排出部は開閉可能に構成され、
開状態では、前記脇下外気排出部から前記外気が前記ウェア本体の外部へ排出可能に構成され、
閉状態では、前記脇下外気排出部と前記着用者の脇下との間を前記外気が流通不能に構成され、
前記脇下外気排出部は、
前記脇下を通る袖口基端部の周縁に沿って前記ウェア本体に設けられたコード挿通部と、
前記コード挿通部の前記脇下に近い側且つ前側に形成され、且つ前記周縁に沿って互いに間隔をあけて形成された一対のコード取り出し穴と、
前記コード挿通部に挿通され、両端部が前記一対のコード取り出し穴から前記ウェア本体の外部に取り出されたコードと、
ロック状態及び解除状態を切り替え可能に構成され、前記ロック状態では前記両端部が前記コード取り出し穴より前記外部で留まり、前記コード挿通部に挿通されている前記コードの長さが固定され、前記解除状態では前記外部で前記コードを長手方向に沿って巻き取り可能であり、前記コード挿通部に挿通されている前記コードの長さが変化するダイヤル式ロック機構と、
を備え、
前記ダイヤル式ロック機構は前記コードを掛けまわされたダイヤル部を備え、
前記解除状態において前記コード挿通部に挿通されている前記コードの長さの変化量は前記ダイヤル部の回転量によって決まる、
空調ウェア。
【請求項２】
前記脇下外気排出部は、前記周縁の全体にわたって設けられ、前記脇下を通る袖口基端部の周縁の少なくとも前記脇下に対向する前記ウェア本体を開閉可能なファスナー部を備え、
ファスナー部を介して前記ウェア本体に着脱可能な袖を備える、
請求項１に記載の空調ウェア。
【請求項３】
前記ウェア本体の襟部及び該襟部に接続されたフードの前端の何れか一方が前記着用者に密着可能に構成された、
請求項１又は２に記載の空調ウェア。
【請求項４】
着用者の胴部、胸部及び肩部を覆い、少なくとも前記胴部の下端近傍と密着可能に構成され、
前記胴部に対向する位置に、外気を前記胴部との間に送風する送風ファンを着脱可能に構成された開口部が形成され、
前記着用者の脇下に対向した位置に脇下外気排出部が形成され、
該脇下外気排出部は開閉可能に構成され、
開状態では、前記脇下外気排出部から前記外気が外部へ排出可能に構成され、
閉状態では、前記脇下外気排出部と前記着用者の脇下との間を前記外気が流通可能に構成され、
前記脇下外気排出部は、
前記脇下を通る袖口基端部の周縁に沿って設けられたコード挿通部と、
前記コード挿通部の前記脇下に近い側且つ前側に形成され、且つ前記周縁に沿って互いに間隔をあけて形成された一対のコード取り出し穴と、
前記コード挿通部に挿通され、両端部が前記一対のコード取り出し穴から外部に取り出されたコードと、
ロック状態及び解除状態を切り替え可能に構成され、前記ロック状態では前記両端部が前記コード取り出し穴より前記外部で留まり、前記コード挿通部に挿通されている前記コードの長さが固定され、前記解除状態では前記外部で前記コードを長手方向に沿って巻き取り可能であり、前記コード挿通部に挿通されている前記コードの長さが変化するダイヤル式ロック機構と、
を備え、
前記ダイヤル式ロック機構は前記コードを掛けまわされたダイヤル部を備え、
前記解除状態において前記コード挿通部に挿通されている前記コードの長さの変化量は前記ダイヤル部の回転量によって決まる、
空調ウェア本体。
【手続補正２】
【補正対象書類名】明細書
【補正対象項目名】０００７
【補正方法】変更
【補正の内容】
【０００７】
本発明の空調ウェアは、着用者の胴部、胸部及び肩部を覆い、下端が前記着用者に密着可能に構成されたウェア本体と、前記ウェア本体における前記胴部に対向する位置に開口部が形成され、該開口部に着脱可能、且つ外気を前記ウェア本体と前記胴部との間に送風可能な送風ファンと、を備え、前記ウェア本体における前記着用者の脇下に対向した位置に脇下外気排出部が形成され、該脇下外気排出部は開閉可能に構成され、開状態では、前記脇下外気排出部から前記外気が前記ウェア本体の外部へ排出可能に構成され、閉状態では、前記脇下外気排出部と前記着用者の脇下との間を前記外気が流通不能に構成され、前記脇下外気排出部は、前記脇下を通る袖口基端部の周縁に沿って前記ウェア本体に設けられたコード挿通部と、前記コード挿通部の前記脇に近い側且つ前側に形成され、且つ前記周縁に沿って互いに間隔をあけて形成された一対のコード取り出し穴と、前記コード挿通部に挿通され、両端部が前記一対のコード取り出し穴から前記ウェア本体の外部に取り出されたコードと、ロック状態及び解除状態を切り替え可能に構成され、前記ロック状態では前記両端部が前記コード取り出し穴より前記外部で留まり、前記コード挿通部に挿通されている前記コードの長さが固定され、前記解除状態では前記外部で前記コードを長手方向に沿って巻き取り可能であり、前記コード挿通部に挿通されている前記コードの長さが変化するダイヤル式ロック機構と、を備える。前記ダイヤル式ロック機構は前記コードを掛けまわされたダイヤル部を備え、前記解除状態において前記コード挿通部に挿通されている前記コードの長さの変化量は前記ダイヤル部の回転量によって決まっている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本発明の空調ウェアでは、前記脇下外気排出部は、前記周縁の全体にわたって設けられ、前記脇下を通る袖口基端部の周縁の少なくとも前記脇下に対向する前記ウェア本体を開閉可能なファスナー部を備え、ファスナー部を介して前記ウェア本体に着脱可能な袖を備えてもよい。
【手続補正５】
【補正対象書類名】明細書
【補正対象項目名】００１０
【補正方法】削除
【補正の内容】
【手続補正６】
【補正対象書類名】明細書
【補正対象項目名】００１２
【補正方法】変更
【補正の内容】
【００１２】
本発明の空調ウェア本体は、着用者の胴部、胸部及び肩部を覆い、少なくとも前記胴部の下端近傍と密着可能に構成され、前記胴部に対向する位置に、外気を前記胴部との間に送風する送風ファンを着脱可能に構成された開口部が形成され、前記着用者の脇下に対向した位置に脇下外気排出部が形成され、該脇下外気排出部は開閉可能に構成され、開状態では、前記脇下外気排出部から前記外気が外部へ排出可能に構成され、閉状態では、前記脇下外気排出部と前記着用者の脇下との間を前記外気が流通可能に構成され、前記脇下外気排出部は、前記脇下を通る袖口基端部の周縁に沿って設けられたコード挿通部と、前記コード挿通部の前記脇に近い側且つ前側に形成され、且つ前記周縁に沿って互いに間隔をあけて形成された一対のコード取り出し穴と、前記コード挿通部に挿通され、両端部が前記一対のコード取り出し穴から外部に取り出されたコードと、ロック状態及び解除状態を切り替え可能に構成され、前記ロック状態では前記両端部が前記コード取り出し穴より前記外部で留まり、前記コード挿通部に挿通されている前記コードの長さが固定され、前記解除状態では前記外部で前記コードを長手方向に沿って巻き取り可能であり、前記コード挿通部に挿通されている前記コードの長さが変化するダイヤル式ロック機構と、を備え、前記ダイヤル式ロック機構は前記コードを掛けまわされたダイヤル部を備え、前記解除状態において前記コード挿通部に挿通されている前記コードの長さの変化量は前記ダイヤル部の回転量によって決まっている。
【手続補正７】
【補正対象書類名】明細書
【補正対象項目名】００４７
【補正方法】変更
【補正の内容】
【００４７】
また、上述の第２実施形態では、袖９２，９２が線ファスナー９６によってウェア本体２０に対して着脱可能であることを説明した。第２実施形態の変形例として、袖９２，９２がウェア本体２０と一体に縫製され、袖口基端部４５の周縁において脇下１０８を含む所定の長さだけ線ファスナーが形成されてもよい。
また、上述の第１実施形態及び第２実施形態では、空調ウェアは、ストッパー４３に替えてダイヤル式ロック機構１２０を備えることが好ましい。図９では、第１実施形態の空調ウェア１１の変形例として、ストッパー４３に替えてダイヤル式ロック機構１２０を備える空調ウェア１５が例示されている。図９に示すように、ダイヤル式ロック機構１２０は、ウェア本体２０に形成されたコード取り出し穴４７、４８よりも左右方向のやや中心側且つ上下方向の下側のウェア本体２０に取り付けられている。
ダイヤル式ロック機構１２０は、例えば回転カバー（ダイヤル部）１２２と、不図示のハウジング、リール及び回転制御盤によって構成されている。回転カバー１２２には、コード取り出し穴４７、４８からウェア本体２０の外部に引き出されて押さえ部１４０を通ったコード４２の端部５０が掛け回されている。コード２４は、少なくとも伸縮性を有さず、変形自在ではあるが形状保持性を有する。コード２４は、例えば強化樹脂で形成され、回転カバー１２２の回転に伴う巻き上げ等の動作に好適な程度に高い強度を有する。ハウジングの内周部且つ上部（すなわち、前後方向の前側）には、不図示のラチェットギアが設けられている。ハウジングは円筒形の内周面を有し、ハウジングの内部空間にはリール及び回転制御盤が順次収容されている。なお、ハウジング及び回転カバーには、リール及び回転制御盤を貫通してこれらの部材が回転するように支持する回転軸１５０が結合されている。回転軸１５０の先端部（すなわち、前後方向の後側）は、回転カバー１２２を貫通して結合される締め付けボルトによってこれらの部材を回転可能に支持されている。リールには、コード２４を巻き取り可能とするために、凹溝形状の取り巻き部が形成されている。ダイヤル式ロック機構１２０では、回転カバー１２２の回転時に、回転カバー１２２から巻き出されているコード４２の長さを例えばミリメートル（ｍｍ）単位で高精度且つ高い再現性で変更することができる。
空調ウェアの着用者が回転カバー１２２をロック状態の初期位置からウェア本体２０に向けて押す、又はウェア本体２０から離れる側に引く、或いは時計回り又は反時計回りに回転させることによって、ダイヤル式ロック機構１２０でロック状態及び解除状態が切り替えられる。ロック状態では、回転カバー１２２は周方向Ｒに回転せず、コード挿通部４１に挿通されているコード４２の長さ、及びコード取り出し穴４７、４８からウェア本体２０の外部に露出する端部５０の長さが固定されている。一方、解除状態では、回転カバー１２２は周方向Ｒに回転可能であり、回転カバー１２２の周方向Ｒの時計回り及び反時計回りのうちの何れか一方の回転に伴ってコード４２が空調ウェア１５の外部で長手方向に沿って巻き取られ、回転カバー１２２を前後方向に移動させることに伴って、或いは時計回り及び反時計回りのうちの何れか他方の回転に伴ってコード４２が空調ウェア１５の外部に長手方向に沿って巻き出される。回転カバーに形成されている係合爪等の係合構造とハウジング等の内周面に形成されている非係合凹部等の被係合との嵌合や、ラチェットギアが設けられていることによって、解除状態では回転カバー１２２の回転量に応じてコード挿通部４１に挿通されているコード４２の長さの変化量が決まる。そのため、所定の回転量で回転カバー１２２を周方向Ｒで回転させたときに、コード挿通部４１に挿通されているコード４２の長さを所望の長さに再現性良く調節することができる。
なお、ダイヤル式ロック機構１２０の構成は、ロック状態及び解除状態を切り替え可能であって、ロック状態ではコード挿通部４１に挿通されているコード４２の長さを固定し、解除状態でコード挿通部４１に挿通されているコード４２の長さを変えることができる構成であれば、特殊な構成に限定されない。
上述のようにダイヤル式ロック機構１２０を備える空調ウェア１５では、第１実施形態の空調ウェア１１や第２実施形態の空調ウェア９１と同様に、ダイヤル式ロック機構１２０で解除状態にしてコード４２の長さを調節し、脇下外気排出部３８を開状態にすることによって、空調ウェア１５と着用者自身との間に流通する外気を外気排出口５２から排出することができる（図６、図７参照）。空調ウェア１５によれば、ダイヤル式ロック機構１２０で解除状態からロック状態に切り替えると、外気排出口５２が保持され、開状態を実現できる。ロック状態に切り替える際の回転カバー１２２の回転量を変えることにより、外気排出口５２の大きさを再現性良く変え、外気排出口５２から排出される外気の流量を高精度に調節できる。また、袖口基端部４５を着用者の脇下１０７に隣り合う位置にくるようにコード挿通部４１に挿通されているコード４２の長さを調節してダイヤル式ロック機構１２０をロック状態に切り替えると、袖口基端部４５が脇下１０７に密着し、閉状態を実現できる。上述の構成によって、着用者は、ダイヤル式ロック機構１２０での回転カバー１２２の周方向Ｒの回転量を変えることにより、前側から、容易に且つ精度良く、外気排出口５２から排出される外気の流量、及び脇下１０７の冷やし度合いを調整できる。その結果、空調ウェア１５の着用時の快適度が向上する。
また、空調ウェア１５は、着脱可能な不図示のフードを備えていてもよく、空調ウェア１１、９１と同様の変形例や構成を有してもよい。
【手続補正８】
【補正対象書類名】図面
【補正対象項目名】図６
【補正方法】変更
【補正の内容】
【図６】
2021102838.tif 000001
【手続補正９】
【補正対象書類名】図面
【補正対象項目名】図７
【補正方法】変更
【補正の内容】
【図７】
2021102838.tif 000002
【手続補正１０】
【補正対象書類名】図面
【補正対象項目名】図９
【補正方法】追加
【補正の内容】
【図９】
2021102838.tif 000003